(57)【要約】【課題】一連のページ画像の確認に要する作業時間を短縮する。【解決手段】複数ページからなる撮影対象の各ページを撮影して取得された一連のページ画像を、使用者の要求に応じページ順に表示画面に表示する際、一連のページ画像のページ範囲を複数に分割する複数のページに対応する複数のタグＴをページ画像とともに表示する。第１のタグ操作ボタンｃ１や第２のタグ操作ボタンｃ２の操作に応じ、表示画面に表示されているページ画像１０１，２０１のページと最も近いページに対応する近接タグを識別可能な状態に変更する。一連のページ画像においてページ抜けや重複といった不具合箇所の有無を確認する際、分割ページの設定間隔に相当するページ範囲を単位とした確認結果をタグＴに反映させることができる。【選択図】図５
2017139765.tif 000002
【特許請求の範囲】
【請求項１】
複数ページからなる撮影対象の各ページを撮影して取得された一連のページ画像を撮影された順番に基づいて表示画面に表示するページ表示手段と、
前記一連のページ画像のページ範囲を複数に分割する複数の分割ページに対応する複数のタグを、前記ページ画像とともに前記表示画面に表示するタグ表示手段と、
使用者の要求に応じ、前記複数のタグのうちで前記表示画面に表示されている前記ページ画像のページと最も近い前記分割ページに対応する近接タグを識別可能な状態に変更する変更手段と、
を備えたことを特徴とする画像確認装置。
【請求項２】
複数ページからなる撮影対象の各ページを撮影して取得された一連のページ画像をページ順に表示画面に表示するページ表示手段と、
前記一連のページ画像のページ範囲を複数に分割する複数の分割ページに対応する複数のタグを、前記ページ画像とともに前記表示画面に表示するタグ表示手段と、
使用者の要求に応じ、前記複数のタグのうちで前記表示画面に表示されている前記ページ画像のページと最も近い前記分割ページに対応する近接タグを識別可能な状態に変更する変更手段と、
を備えたことを特徴とする画像確認装置。
【請求項３】
前記ページ表示手段は、使用者に指定された前記タグに対応する分割ページのページ画像を表示画面に表示することを特徴とする請求項１又は２記載の画像確認装置。
【請求項４】
前記タグ表示手段は、前記複数の分割ページに加え、先頭ページ及び最終ページに対応する複数のタグを前記ページ画像とともに前記表示画面に表示することを特徴とする請求項１乃至３のいずれか１項に記載の画像確認装置。
【請求項５】
前記複数のタグは複数の識別可能な状態に変更可能であり、前記変更手段は、前記近接タグの状態を使用者により指定された内容が識別可能な状態に変更することを特徴とする請求項１乃至４のいずれか１項に記載の画像確認装置。
【請求項６】
前記変更手段は、前記近接タグを色の変更によって識別可能な状態に変更することを特徴とする請求項１乃至５のいずれか１項に記載の画像確認装置。
【請求項７】
前記タグにおける識別可能な状態は、前記表示画面に表示されている前記ページ画像に関する使用者の確認結果を示す状態であることを特徴とする請求項１乃至６のいずれか１項に記載の画像確認装置。
【請求項８】
前記ページ表示手段は、前記一連のページ画像を使用者の操作に従って前記表示画面にスクロール表示し、
前記タグ表示手段は、前記表示画面に、前記複数のタグを前記ページ画像のスクロール方向に等間隔で配置する
ことを特徴とする請求項１乃至７のいずれか１項に記載の画像確認装置。
【請求項９】
前記近接タグが前記変更手段により状態を変更されている場合に、当該近接タグの状態を使用者の操作に従って初期状態に戻す初期化手段を更に備えたことを特徴とする請求項１乃至８のいずれか１項に記載の画像確認装置。
【請求項１０】
複数ページからなる撮影対象の各ページを撮影して取得された一連のページ画像を撮影された順番に基づいて表示画面に表示するページ表示手段と、
前記一連のページ画像が複数のページ範囲に分割された各ページ範囲に対して該ページ範囲における先頭ページまたは最終ページに対応するタグを、前記ページ画像とともに前記表示画面に表示するタグ表示手段と、
前記表示画面に表示されている前記ページ画像を含む前記ページ範囲における先頭ページまたは最終ページに対応するタグを識別可能な状態に変更する変更手段と、
を備えたことを特徴とする画像確認装置。
【請求項１１】
複数の前記ページ範囲毎に、各々のページ範囲に対応する一連のページ画像のうちで撮影順が相前後し、かつ各々に存在するページ番号にページ順が反映されている複数のページ画像を確認対象として特定する特定手段と、
前記特定手段により特定された確認対象に存在するページ番号と当該確認対象に設定されているページ番号との異同を確認する確認手段と、
前記複数のタグを、各々のタグに対応するページ範囲の前記確認対象に関する前記確認手段による確認結果を示す状態に変更する第２の変更手段と、
を更に備えたことを特徴とする請求項１乃至１０のいずれか１項に記載の画像確認装置。
【請求項１２】
前記確認手段は、前記確認対象に存在するページ番号と当該確認対象に設定されているページ番号との異同確認を、前記確認対象における単一のページ画像を対象として行うことを特徴とする請求項１１記載の画像確認装置。
【請求項１３】
前記一連のページ画像に設定されているページ番号を、前記ページ画像とともに前記ページ画像に対応付けて前記表示画面に表示するページ番号表示手段と、
前記一連のページ画像の各々に存在するページ番号と前記一連のページ画像の各々に設定されているページ番号との異同を確認する第２の確認手段と、
前記表示画面に表示されるページ番号の表示形態を、対応するページ画像の前記第２の確認手段による確認結果を示す表示形態に制御する表示制御手段と、
を更に備えたことを特徴とする請求項１乃至１２のいずれか１項に記載の画像確認装置。
【請求項１４】
画像確認装置が実行する画像確認方法であって、
複数ページからなる撮影対象の各ページを撮影して取得された一連のページ画像を撮影された順番に基づいて表示画面に表示するステップと、
前記一連のページ画像のページ範囲を複数に分割する複数の分割ページに対応する複数のタグを、前記ページ画像とともに前記表示画面に表示するステップと、
前記複数のタグのうちで前記表示画面に表示されている前記ページ画像のページと最も近い前記分割ページに対応する近接タグを識別可能な状態に変更するステップと、
を含むことを特徴とする画像確認方法。
【請求項１５】
コンピュータに、
複数ページからなる撮影対象の各ページを撮影して取得された一連のページ画像を撮影された順番に基づいて表示画面に表示する手順と、
前記一連のページ画像のページ範囲を複数に分割する複数の分割ページに対応する複数のタグを、前記ページ画像とともに前記表示画面に表示する手順と、
前記複数のタグのうちで前記表示画面に表示されている前記ページ画像のページと最も近い前記分割ページに対応する近接タグを識別可能な状態に変更する手順と、
を実行させるためのプログラム。
【請求項１６】
複数ページからなる撮影対象の各ページを撮影して取得された一連のページ画像を撮影された順番に基づいて表示画面に表示するページ表示手段と、
前記一連のページ画像が複数のページ範囲に分割された各ページ範囲に対応するタグを、前記ページ画像とともに前記表示画面に表示するタグ表示手段と、
前記複数のページ範囲毎に、各々のページ範囲に対応する一連のページ画像のうちで撮影順が相前後し、かつ各々に存在するページ番号にページ順が反映されている複数のページ画像を確認対象として特定する特定手段と、
前記特定手段により特定された確認対象に存在するページ番号と当該確認対象に設定されているページ番号との異同を確認する確認手段と、
前記各ページ範囲に対応する複数のタグを、各々のタグに対応するページ範囲の前記確認対象に関する前記確認手段による確認結果を示す状態に変更する変更手段と、
を備えたことを特徴とする画像確認装置。
【請求項１７】
画像確認装置が実行する画像確認方法であって、
複数ページからなる撮影対象の各ページを撮影して取得された一連のページ画像を撮影された順番に基づいて表示画面に表示するステップと、
前記一連のページ画像が複数のページ範囲に分割された各ページ範囲に対応するタグを、前記ページ画像とともに前記表示画面に表示するステップと、
前記複数のページ範囲毎に、各々のページ範囲に対応する一連のページ画像のうちで撮影順が相前後し、かつ各々に存在するページ番号にページ順が反映されている複数のページ画像を確認対象として特定するステップと、
前記特定された確認対象に存在するページ番号と当該確認対象に設定されているページ番号との異同を確認するステップと、
前記各ページ範囲に対応する複数のタグを、各々のタグに対応するページ範囲の前記確認対象に関する前記異同の確認結果を示す状態に変更するステップと、
を含むことを特徴とする画像確認方法。
【請求項１８】
コンピュータに、
複数ページからなる撮影対象の各ページを撮影して取得された一連のページ画像を撮影された順番に基づいて表示画面に表示する手順と、
前記一連のページ画像が複数のページ範囲に分割された各ページ範囲に対応するタグを、前記ページ画像とともに前記表示画面に表示する手順と、
前記複数のページ範囲毎に、各々のページ範囲に対応する一連のページ画像のうちで撮影順が相前後し、かつ各々に存在するページ番号にページ順が反映されている複数のページ画像を確認対象として特定する手順と、
前記特定された確認対象に存在するページ番号と当該確認対象に設定されているページ番号との異同を確認する手順と、
前記各ページ範囲に対応する複数のタグを、各々のタグに対応するページ範囲の前記確認対象に関する前記異同の確認結果を示す状態に変更する手順と、
を実行させるためのプログラム。
【発明の詳細な説明】
【技術分野】
【０００１】
本発明は、画像確認装置、画像確認方法、及びプログラムに関する。
【背景技術】
【０００２】
従来、書籍等（例えば本や雑誌）の重なっているページ（右ページ、又は左ページ）をページめくり装置を用いて１枚ずつ順にめくるとともに、各ページを連続撮影して電子データ化し、複数ページ分の電子データを書籍ファイルとして記録する書画カメラシステムが知られている（例えば特許文献１，２参照）。係る書画カメラシステムを用いれば、一般に販売されている所謂電子書籍と同様の書籍ファイルを誰もが簡単に作成することができる。
【先行技術文献】
【特許文献】
【０００３】
【特許文献１】特開２０１４−１１７８９３号公報
【特許文献２】特開２０１５−６７５４号公報
【発明の概要】
【発明が解決しようとする課題】
【０００４】
しかしながら、電子化対象である書籍等のページが例えば数百ページのように多くなると、撮影した多数の撮影画像すなわち一連のページ画像に、下のページが分離されず重ねめくりがあった場合のページ抜けや、めくり損ね（空送り）があった場合の重複といった不具合箇所が存在している場合がある。
【０００５】
そのため、電子化に先立ち一連のページ画像において不具合箇所の有無を事前に確認する必要があるが、各ページ画像を個別に確認していたのでは、ページ数に比例して作業時間や作業者の負担が増大するという問題があった。
【０００６】
本発明は、かかる従来の課題に鑑みてなされたものであり、一連のページ画像の確認に要する作業時間を短縮する技術の提供を目的とする。
【課題を解決するための手段】
【０００７】
上記の目的を達成するため、本発明の第１の観点に係る画像確認装置は、複数ページからなる撮影対象の各ページを撮影して取得された一連のページ画像を撮影された順番に基づいて表示画面に表示するページ表示手段と、前記一連のページ画像のページ範囲を複数に分割する複数の分割ページに対応する複数のタグを、前記ページ画像とともに前記表示画面に表示するタグ表示手段と、使用者の要求に応じ、前記複数のタグのうちで前記表示画面に表示されている前記ページ画像のページと最も近い前記分割ページに対応する近接タグを識別可能な状態に変更する変更手段と、を備えたことを特徴とする。
【０００８】
また、本発明の第２の観点に係る画像確認装置は、複数ページからなる撮影対象の各ページを撮影して取得された一連のページ画像を撮影された順番に基づいて表示画面に表示するページ表示手段と、前記一連のページ画像が複数のページ範囲に分割された各ページ範囲に対応するタグを、前記ページ画像とともに前記表示画面に表示するタグ表示手段と、前記複数のページ範囲毎に、各々のページ範囲に対応する一連のページ画像のうちで撮影順が相前後し、かつ各々に存在するページ番号にページ順が反映されている複数のページ画像を確認対象として特定する特定手段と、前記特定手段により特定された確認対象に存在するページ番号と当該確認対象に設定されているページ番号との異同を確認する確認手段と、前記各ページ範囲に対応する複数のタグを、各々のタグに対応するページ範囲の前記確認対象に関する前記確認手段による確認結果を示す状態に変更する変更手段と、を備えたことを特徴とする。
【発明の効果】
【０００９】
本発明によれば、一連のページ画像の確認に要する作業時間を短縮することができる。
【図面の簡単な説明】
【００１０】
【図１】各実施形態に共通する書画カメラシステムの概略構成を示す斜視図である。
【図２】書画カメラシステムの電気的構成の要部を示すブロック図である。
【図３】第１の実施形態でのタブレットにおけるページ編集モードでの動作を説明するためのフローチャートである。
【図４】ページ番号編集画面の一例を示す図である。
【図５】複数のタグの状態が変更されたページ番号編集画面の一例を示す図である。
【図６】不具合箇所の確認手順の一例を示すタグの状態説明図である。
【図７】第２の実施形態でのタブレットにおけるページ編集モードでの動作を説明するためのフローチャートである。
【図８】自動チェック処理を示すフローチャートである。
【図９】ページ照合処理を示すフローチャートである。
【図１０】ＯＣＲチェック処理を示すフローチャートである。
【図１１】個別編集画面の一例を示す図である。
【図１２】ページ照合処理で得られる判定結果の一例を示す図である。
【図１３】図１２に続く図である。
【図１４】自動チェック処理で設定されるタグ色の一例を示す図である。
【図１５】管理情報の一部を示す概念図である。
【図１６】ページ照合処理で得られる判定結果の他の例を示す図である。
【発明を実施するための形態】
【００１１】
以下、本発明に係る実施形態を、図面を参照して説明する。
（実施形態１）
図１は、第１の実施形態、及び後述する第２の実施形態に共通する書画カメラシステム１の概略構成を示す斜視図である。この書画カメラシステム１は、タブレット２とページめくり装置３とから構成される。
【００１２】
ページめくり装置３は、開かれた書籍Ｂを保持する保持台５と、保持台５上の書籍Ｂのめくり元位置にあるページＰを保持し、ページＰのめくり先位置でページＰに対する保持を解除することによってページＰをめくる装置本体４と、保持台５に着脱自在なクリップ６と、ページレシーバー７とを備えている。
【００１３】
装置本体４には、ページＰを機械的にめくるめくり機構４１と、めくり機構４１の動作中に、めくり元位置にあるページＰの上方でめくり先位置に向けて風を送り、既にめくられたページＰの戻りを風圧によって防止するための送風部４４とが設けられている。
【００１４】
めくり機構４１は、所定の角度範囲で回転自在なアーム４２と、その先端に設けられた粘着ローラー４３とを備えている。粘着ローラー４３は、アーム４２の先端に回転自在に取り付けられたスポンジやゴム等の弾性部材の周面に、仮止め用の粘着テープと同様の弱い粘着力を有する粘着部材が巻き付けられた構成である。
【００１５】
ページめくり装置３においては、めくり機構４１のアーム４２が基端部を中心に反時計方向と時計方向とに回転し、それに伴い粘着ローラー４３が開かれた書籍Ｂの上方で円弧を描いてめくり元位置（図１で見開きページの左側）とめくり先位置（図１で見開きページの右側）との間を往復することにより、めくり元位置にあるページＰをめくり先位置にめくることができる。
【００１６】
一方、タブレット２は、カメラ（後述する撮像部）を備えた携帯可能な情報処理端末であって、スタンド２０を用いて書籍（例えば本や雑誌）Ｂの上方に設置されることにより、書籍Ｂのめくり元位置のページＰを撮影対象として撮影する。なお、タブレット２とページめくり装置３とは、それぞれに内蔵されたＢｌｕｅｔｏｏｔｈ（登録商標）やＷｉ−Ｆｉ（登録商標）等の近距離無線通信アダプタを介して通信可能である。
【００１７】
図２は、タブレット２とページめくり装置３との電気的構成の要部を示すブロック図である。まず、ページめくり装置３の電気的構成について説明する。
【００１８】
ページめくり装置３は、主として制御部３１と、記憶部３２、第１のモータ駆動回路部３３、第２のモータ駆動回路部３４、通信部３５、操作部３６、電源部３７から構成される。記憶部３２には、各種プログラムが記録されたＲＯＭ（Read Only Memory）と、当該プログラムが展開されるＲＡＭ（Random Access memory）とが含まれる。
【００１９】
操作部３６には、電源スイッチ等の各種スイッチが含まれる。第１のモータ駆動回路部３３には、めくり機構４１を駆動するモータや、送風部４４に設けられたファンを駆動するモータ、及びそれらのモータを駆動するモータドライバ等が含まれる。第２のモータ駆動回路部３４には、ページレシーバー７の内蔵モータを駆動するモータドライバが含まれる。
【００２０】
通信部３５は、タブレット２との通信インタフェースを司り、Ｂｌｕｅｔｏｏｔｈ（登録商標）やＷｉ−Ｆｉ（登録商標）等の通信方式によってタブレット２との接続を行う。電源部３７は、各ブロック３１〜３６に電力を供給する。
【００２１】
制御部３１は、通信部３５を介してタブレット２から受信した動作パラメータを記憶部３２に記録し、記憶部３２に記憶されているプログラムに従い動作パラメータに基づきタブレット２と協働して第１のモータ駆動回路部３３と第２のモータ駆動回路部３４とを制御し、アーム４２、及び送風部４４に設けられたファンやページレシーバー７を駆動する。
【００２２】
次に、タブレット２の電気的構成について説明する。タブレット２は、主として撮像部２１と、操作部２２と、表示部２３と、通信部２４と、制御部２５と、記憶部２６とから構成される。
【００２３】
撮像部２１は、書籍Ｂ等のページ画像を撮影可能なカメラであり、レンズを含む光学系の他に、ＣＣＤ（Charge Coupled Device）やＣＭＯＳ（Complementary Metal Oxide Semiconductor）等で構成された撮像素子等を有する。レンズを介して入射した光像は、この撮像素子でアナログ画像信号に光電変換され、色分離や色成分の毎のゲイン調整が行われた後に、ディジタルデータに変換される。なお、レンズ及び撮像素子は、図１には表れないタブレット２の裏面側に設けられている。
【００２４】
表示部２３は、ＬＣＤ（Liquid Crystal Display）や有機ＥＬ（Electro Luminescence）等の表示モニタを有し、表示モニタの画面上に撮像部２１により撮像されたページ画像や各種情報等を表示する。
【００２５】
操作部２２は、図示しない電源キー等の最小限の操作スイッチと、表示部２３が有する表示モニタの表面に一体的に設けられタブレット２の表面を構成するタッチパネルを含み、ユーザによるタブレット２の操作情報を制御部２５へ供給する。
【００２６】
通信部２４は、ページめくり装置３との通信インタフェースを司り、Ｂｌｕｅｔｏｏｔｈ（登録商標）やＷｉ−Ｆｉ（登録商標）等の通信方式によってページめくり装置３との接続を行う。
【００２７】
制御部２５は、ＣＰＵ（Central Processing Unit）、及びその周辺回路等や、ＲＡＭ（Random Access memory）等を含み、タブレット２の各部を制御する。
【００２８】
記憶部２６には、例えば半導体メモリが実装され、各種のアプリケーションプログラム、制御部２５がプログラム実行の過程で生成する各種データや、アプリケーションプログラムに使用され各種の設定データ等が保存されている。上記アプリケーションプログラムには、ページめくり装置３を用いて書籍等の各ページを撮影し、撮影により取得したページ画像を書籍ファイルとして記憶部２６に保存したり、保存した書籍ファイルの閲覧や編集を行うための書籍管理プログラムが含まれる。
【００２９】
また、記憶部２６には、書籍ファイルの生成過程において、書籍等の各ページを撮影した撮影画像である複数ページ分のページ画像、及び書籍の表紙と、見返し（裏表紙側）、裏表紙、見返し（表紙側）をそれぞれ撮影した撮影画像からなる一連のページ画像、すなわち互いに前後関係を有する複数の撮影画像が記憶される。
【００３０】
さらに、記憶部２６には、書籍ファイルや、一連のページ画像を書籍毎に管理するための管理テーブル２６０を記憶する領域が確保されている。管理テーブル２６０には、書籍ファイルとして統合される以前の一連のページ画像について、各ページ画像と書籍の各ページとの対応関係を示す情報や、書籍のタイトルやページ数や書籍毎のページ画像のデータ量等の各種の管理情報が、書籍等のファイル化対象別に記憶されている。なお、管理情報には、１回の連続撮影により取得された一群のページ画像を１グループとして管理するための管理情報が含まれる。
【００３１】
以上の構成からなる書画カメラシステム１においては、ユーザがタブレット２において書籍管理プログラムを起動させると、タブレット２とページめくり装置３とが無線接続される。その状態で、タブレット２を図１に示したようにページめくり装置３の上方に設置し、その状態でユーザがタブレット２を操作すれば、タブレット２がページめくり装置３のページめくり動作を制御しながら、書籍の各ページを撮影してページ画像を取得する。
【００３２】
各ページの撮影には、表紙、見返し（表紙側）、左ページ、右ページ、裏表紙、見返し（裏表紙側）の各々の撮影が含まれる。また、左ページ及び右ページの撮影は１又は複数回の連続撮影によって行われる。そして、撮影された一連のページ画像は、各種の編集作業を行った後、単一のファイルに結合させることにより書籍ファイルとして保存することができる。
【００３３】
以下、タブレット２におけるページ編集モードでの動作について説明する。ページ編集モードは、記憶部２６に保存されている左ページや右ページ等の複数ページ分のページ画像、つまり書籍ファイルとして結合される以前の一連のページ画像の確認し、必要に応じてページ画像の置き換えや挿入等の編集作業を行うためのモードである。
【００３４】
なお、ページ編集モードは、ユーザの操作によって設定可能な動作モードであるとともに、書籍等の各ページ、書籍の表紙等の撮影に使用される撮影モードでの動作終了後に自動的に移行する動作モードでもある。また、ページ編集モードにおいて編集対象となる一連のページ画像は、管理テーブル２６０によって書籍毎に管理されている左ページのみを撮影した一連の左ページ画像、及び右ページのみを撮影した一連の右ページ画像である。
【００３５】
図３は、ページ編集モードにおいて、制御部２５が書籍管理プログラムに基づき実行する処理内容の一部を説明するためのフローチャートである。ページ編集モードにおいて制御部２５は、まず、編集対象となる書籍の管理情報を参照して一連のページ画像（左ページ画像及び右ページ画像）の総数を確認する（ステップＳ１）。
【００３６】
次に、制御部２５は、ページ画像の総数分のページ範囲に、それを複数の範囲に分割する複数の分割ページを設定する（ステップＳ２）。本実施形態においてページ範囲の分割数は１０エリアであり、制御部２５は、９箇所のページを分割ページに設定する。
【００３７】
具体的には、１エリアのページ数を計算し、計算したページ数毎のページを分割ページとして設定する。例えばページ画像の総数が４０１であれば、４０ページ毎の分割ページを設定する。なお、ページ画像の総数が偶数である場合、制御部２５はページ画像の総数に１ページを加算して分割ページを決定する。
【００３８】
しかる後、制御部２５は、図４に示した構成からなるページ番号編集画面Ｇ１を表示する（ステップＳ３）。このページ番号編集画面Ｇ１は、上縁に沿って固定して確保される機能表示領域Ｇａと、中央のほぼ全域を占める一般領域Ｇｂと、下縁に沿って固定して確保される操作領域Ｇｃとから構成される。
【００３９】
機能表示領域Ｇａには、動作モードの選択状態を反転表示で表するとともに、他の動作モードへの移行を指示するページ編集ボタンｂ１、トリミングボタンｂ２、色補正ボタンｂ３が配置されている。これらは、ページ編集モード以外の動作モードが設定されているときも固定して表示されるものであり、ページ編集モードにおいては、図に示したようにページ編集ボタンｂ１が反転表示された状態で表示される。
【００４０】
また、機能表示領域Ｇａには、ページ画像の挿入や削除の編集作業への移行を指示するための編集ボタンｂ４と、ページ編集モードの終了を指示するための完了ボタンｂ５とが配置されている。なお、ここではＧＵＩ（Graphical User Interface）を実現するため表示部２３の表示画面に表示されるとともに、ユーザによりタッチ操作される文字や絵柄等からなる各種の表示要素を「ボタン」と呼ぶ。
【００４１】
そして、ページ番号編集画面Ｇ１の表示に際して制御部２５は、一般領域Ｇｂに、記憶部２６に保存されている一連の左ページ画像１０１の各々と一連の右ページ画像２０１の各々とを縮小してページ順に並べて表示する。具体的には、各々の左ページ画像１０１と右ページ画像２０１を一組とし、それらを左右に隙間なく並べて配置することによって見開き状態の書籍を表現するとともに、各組を、間隔を空けてページ順に従い縦方向に並べて表示する。図に示したように本実施形態において左ページ画像１０１及び右ページ画像２０１の大きさは、４ページ分（二組分）のページ画像が一度に確認可能な大きさである。なお、以下の説明においては、左ページ画像１０１と右ページ画像２０１とを必要に応じページ画像と呼ぶものとする。
【００４２】
また、制御部２５は、各々の左ページ画像１０１の左側、及び各々の右ページ画像２０１の右側にページ番号オブジェクト３０１と、それらに重ねてページ確認枠４０１を表示する。ページ番号オブジェクト３０１は、ページ画像（左ページ画像１０１及び右ページ画像２０１）に対応するページ番号３０２とページ番号画像３０３とを上下に並べて表示したものである。
【００４３】
ここで、ページ番号３０２は、撮影モードにおいて一連の左ページ画像１０１及び右ページ画像２０１が取得された際に各ページ画像に設定され、管理情報として記憶されているページ番号である。つまりページ番号は、一連の左ページ画像１０１のページ番号が奇数、一連の右ページ画像２０１のページ番号が偶数の連続番号である。
【００４４】
また、ページ番号画像３０３は、ページ確認枠４０１に対応する領域を切り出した画像であり、各書籍の各ページに印刷されているページ番号部分の画像である。ページ確認枠４０１はＯＳＤ（On Screen Display）機能により表示されるものであり、画面上でのタッチ操作により位置調整が可能である。図３では省略するが、制御部２５は、ユーザにより任意のページ確認枠４０１が移動された際には、必要に応じて他のページ確認枠４０１もそれと連動して自動的に移動させ、かつページ番号画像３０３を更新する。
【００４５】
また、制御部２５は、一般領域Ｇｂの右辺に沿って、ステップＳ２で設定した編集対象となっている一連のページ画像の分割ページ、さらに先頭ページ及び最終ページとに対応する合計１１個の円形の無色（背景色と同一色）のタグＴを上下方向に等間隔で配置する。なお、後述するように、これらのタグＴは各々がユーザによるタッチ操作の対象となるボタンとしても機能する。
【００４６】
さらに、制御部２５は、操作領域Ｇｃの右側に、「確認マーク：」からなるキャプションで機能が説明された第１のタグ操作ボタンｃ１及び第２のタグ操作ボタンｃ２、第３のタグ操作ボタンｃ３を配置し、操作領域Ｇｃの左端に第４のタグ操作ボタンｃ４を配置する。第１のタグ操作ボタンｃ１は青色（図では模様塗り）の円と「ＯＫ」の文字で構成され、第２のタグ操作ボタンｃ２は赤色（図では黒塗り）の円と「ＮＧ」の文字で構成される。第３のタグ操作ボタンｃ３は「Ｃｌｅａｒ」の文字で構成され、第４のタグ操作ボタンｃ４は「すべてのポイント削除」の文字で構成される。
【００４７】
第１のタグ操作ボタンｃ１及び第２のタグ操作ボタンｃ２は、ユーザが一般領域Ｇｂに表示中のページ画像に関する確認結果、すなわちページ抜けや重複（ページ画像の欠落や重複）の有無を確認した結果を入力するために使用される。また、第３のタグ操作ボタンｃ３は、特定の分割ページのページ画像に関する確認結果の取消に使用される。第４のタグ操作ボタンｃ４は、全てのページ画像に関する確認結果の取消に使用される。
【００４８】
そして、ページ番号編集画面Ｇ１を表示している間、制御部２５は、表示画面に対してスクロール操作があれば（ステップＳ４：ＹＥＳ）、それに応じてページ画像１０１，２０１をスクロールさせ、先行するページや後続するページのページ画像１０１，２０１を順に表示させる（ステップＳ５）。なお、図４は、ページ編集モードでの動作が開始されてからユーザによりスクロール操作が行われた後のページ番号編集画面Ｇ１の例を示した図である。
【００４９】
また、任意のページ画像１０１，２０１を表示している間、制御部２５は、第１のタグ操作ボタンｃ１〜第４のタグ操作ボタンｃ４のタッチ操作の有無を逐次確認し（ステップＳ６，Ｓ９，Ｓ１２）、いずれかのタッチ操作があると、以下の処理を実行する。
【００５０】
まずユーザが表示中のページ画像に関するページ抜けや重複の有無を確認した後、第１のタグ操作ボタンｃ１又は第２のタグ操作ボタンｃ２のタッチ操作によって確認結果を入力されると（ステップＳ６：ＹＥＳ）、制御部２５は、表示中のページ画像のページに対応する近接タグを特定する（ステップＳ７）。
【００５１】
ここで表示中のページ画像のページとは、ページ番号オブジェクト３０１にページ番号３０２として表示されている各ページであり、図４においては、１６０〜１６３の各ページである。また、近接タグとは、それらのページと最も近い分割ページに対応するタグＴである。
【００５２】
しかる後、制御部２５は、近接タグの色をユーザに入力された確認結果に対応する色に変更する（ステップＳ８）。すなわち表示中のページ画像にページ抜けや重複がなく、入力された確認結果が「ＯＫ」であれば、制御部２５は近接タグの色を第１のタグ操作ボタンｃ１の円と同様の青色に変更する。また、表示中のページ画像にページ抜けや重複があり、入力された確認結果が「ＮＧ」であれば、制御部２５は近接タグの色を第２のタグ操作ボタンｃ２の円と同様の赤色に変更する。
【００５３】
なお、表示中のページ画像の確認作業は、ユーザが各ページ番号オブジェクト３０１についてページ番号３０２とページ番号画像３０３のページ番号とが一致しているか否かを確認したり、各組の左ページ画像１０１と右ページ画像２０１との間における内容の連続性の有無を直接確認したりすることによって行われる。
【００５４】
また、制御部２５は、第３のタグ操作ボタンｃ３のタッチ操作によりユーザから確認結果の取消が指示されると（ステップＳ９：ＹＥＳ）、表示中のページ画像のページに対応する近接タグを特定する（ステップＳ１０）。この処理はステップＳ７の処理と同様である。
【００５５】
しかる後、制御部２５は、近接タグである特定のタグＴを初期化する（ステップＳ１１）。つまりその特定のタグＴが青色、赤色に変更されていれば、それを無色の初期状態に戻し、特定のタグＴが初期状態のままであれば、その状態を維持する。
【００５６】
また、制御部２５は、第４のタグ操作ボタンｃ４のタッチ操作によりユーザから全てのページ画像に関する確認結果の取消（全結果の取消）が指示されると（ステップＳ１２：ＹＥＳ）、表示中のページ画像のページに関係なく、全てのタグＴを初期化する（ステップＳ１３）。つまり青色、赤色に変更されている全てのタグＴを無色の初期状態に戻す。
【００５７】
そして、制御部２５は、ページ編集モードの終了指示があるまでの間（ステップＳ１７：ＮＯ）、ステップＳ４〜ステップＳ１３の処理を繰り返す。これによりユーザは、任意のページのページ画像を画面に表示し、ページ抜けや重複の有無を確認するとともに、その際には１又は複数のタグＴを、確認結果（ＯＫやＮＧ）を示す状態に変更することができる。図５は、複数のタグＴが確認結果（ＯＫやＮＧ）を示す状態に変更された後のページ番号編集画面Ｇ１の一例を示した図である。
【００５８】
さらに、ページ番号編集画面Ｇ１を表示している間、制御部２５は、ユーザによるタグＴのタッチ操作の有無を逐次確認し、タグＴのタッチ操作があると（ステップＳ１４：ＹＥＳ）、操作対象のタグＴの状態に関係なく、それに対応するページを確認する（ステップＳ１５）。
【００５９】
しかる後、制御部２５は、該当するページのページ画像を一般領域Ｇｂに表示する（ステップＳ１６）。つまりそのページ画像を含む４ページ分のページ画像を表示する。具体的には、そのページ画像を含む一組のページ画像１０１，２０１と、後続する一組のページ画像１０１，２０１とを表示する。但し、タッチ操作が最終ページを示すタグＴに対して行われたときには、例外的に最終ページを含む一組のページ画像１０１，２０１と、先行する一組のページ画像１０１，２０１とを表示する。
【００６０】
そして、制御部２５は、ページ編集モードの終了指示があるまでの間（ステップＳ１７：ＮＯ）、ステップＳ４以降の処理を繰り返すことによって、ユーザに一連のページ画像の確認作業、つまりページ抜けや重複の有無を確認させる。
【００６１】
なお、図３では省略するが、ページ番号編集画面Ｇ１を表示している間、制御部２５は、編集ボタンｂ４のタッチ操作による編集作業への移行が指示されると、ページ編集モードの下位モードである編集モードによる動作へ移行する。そして、編集モードにおいて制御部２５は、ユーザに指定された重複ページのページ画像の削除や、撮り損ねていたページを撮影して該当するページに挿入するための処理、及びそれらに伴う管理情報の更新（ページ画像とページ番号との対応関係の更新）等を行う。また、編集モードでの処理を終了し、ページ番号編集画面Ｇ１を再び表示する際、制御部２５は、ページ画像の削除や挿入を行ったページに対応するタグＴを、自動的にＮＧを示す赤色の状態からＯＫを示す青色の状態に変更する。
【００６２】
その後、制御部２５は、終了指示があった時点で（ステップＳ１７：ＹＥＳ）、ページ編集モードによる処理を終了する。なお、ユーザによるページ編集モードの終了指示は、完了ボタンｂ５のタッチ操作に加え、トリミングボタンｂ２や色補正ボタンｂ３のタッチ操作による動作モードの変更指示が含まれる。
【００６３】
以上のように本実施形態においては、ページ番号編集画面Ｇ１に、一連のページ画像（左ページ画像及び右ページ画像）の一部とともに、そのページ範囲を複数に分割する複数の分割ページ、さらに先頭ページ及び最終ページに対応する１１個のタグＴが表示される。そして、ユーザは、表示中のページ画像に関するページ抜けや重複（ページ画像の欠落や重複）の確認結果に応じ、そのページ画像のページと最も近い分割ページ等を示す近接タグ（タグＴ）の状態を青色や赤色に変更することができる。つまり、１１個のタグＴを、状態を変化させることにより確認結果した結果を示す栞（しおり）として使用することができる。
【００６４】
しかも、任意のタグＴをタッチ操作すれば、そのタグＴが対応するページのページ画像を表示させることができる。つまり１１個のタグＴを、一定ページ数毎のページ画像と、先頭ページ及び最終ページをランダムに表示可能とする所謂ジャンプマークとしても使用することができる。
【００６５】
これにより、ユーザは、ページ抜けや重複の有無の確認、及びページ抜けや重複があるページを特定する確認といった一連のページ画像の確認作業を効率よく行うことができる。
【００６６】
以下、具体的に説明する。一連のページ画像にページ抜けや重複があるか否かの確認を行う際、係る確認作業を全てのページで行うと多大な時間が掛かる。しかし、現実的には、ある一定程度のページ間隔で確認作業を行い、その間のページでの確認作業を省略しても、高い確率でページ抜けや重複といった不具合箇所を発見することができる。
【００６７】
例えば各ページの撮影時に使用するページめくり装置３のページめくり精度が高い場合であれば、先頭ページ付近、中央ページ付近、最終ページ付近の３ヶ所で確認を行うだけでも高い確率で、ページ抜けや重複といった不具合箇所を発見することができる。なお、モンテカルロ法によるシミュレーションでは、ページめくり時の不具合（めくり損ねや、重ねめくり）の発生率を１％と仮定し、ページ数が４００ページとした場合の不具合の検出率は、確認箇所が上記３ヶ所であっても９９．５％以上となり、確認箇所を上記５ヶ所とすれば９９．９％以上となる。
【００６８】
したがって、例えば以下の手順で確認作業を行うことにより、高精度で確認作業を行うことができる。まず上端に位置するタグＴと、中央に位置するタグＴと、下端に位置するタグＴを操作し、各々が対応するページのページ画像１０１，２０１を表示させることによって、先頭ページ付近、中央ページ付近、最終ページ付近の３ヶ所で不具合の有無を確認し、その結果（ＯＫ、又はＮＧ）をタグＴに反映させる。
【００６９】
その際、全てのタグＴがＯＫなら不具合箇所はないと判断する。なお、必要であれば、他の分割ページについても同様の確認を行う。一方、いずれかのタグＴがＮＧであれば、そのタグＴとＯＫのタグＴとの間に位置するタグＴを操作して不具合の有無を確認し、その結果をタグＴに反映させる。以後、同様に他のタグＴを操作して不具合の有無を確認する作業を繰り返す。
【００７０】
図６は、その際における確認手順の一例を示す図であり、括弧付きで示した数字が確認順（操作順）である。なお、タグＴの状態は図５と同一である。図６に示したように、この例は中央ページ付近と最終ページ付近の確認結果がＮＧであり、その後、上端から３番目〜５番目に位置するタグＴのページ付近を順に確認したとき、全ての確認結果がＯＫであった場合の例である。
【００７１】
この場合、上端から５番目に位置するタグＴのページ付近と中央ページ付近と間に不具合箇所があるため、この後は、５番目に位置するタグＴのページ付近と中央ページ付近との間のページ画像を確認すれば、不具合箇所を簡単かつ確実に見つけることができる。
【００７２】
したがって、電子データ化する書籍のページ数が多い場合であっても、一連のページ画像の確認作業を極めて効率よく行うことができ、一連のページ画像の確認に要する時間の短縮化が可能となる。
【００７３】
なお、１１個のタグＴをジャンプマークとして使用する場合について説明したが、１１個のタグＴは栞としてのみ使用するようにしてもよい。すなわち制御部２５に、図３のステップＳ１４〜ステップＳ１６の処理を除く処理を行わせるようにしてもよい。
【００７４】
つまりスクロール操作によっても先頭ページ及び最終ページのページ画像を容易に表示することができる。また、ユーザにおいては書籍のページ数が既知であるため、ページ番号オブジェクト３０１やページ画像１０１，１０２によりページ数を確認すれば、中央ページ付近のページ画像も比較的容易に表示することができる。その他の確認箇所についてもほぼ同様である。
【００７５】
そして、その場合においても分割ページの設定間隔に相当するページ範囲を単位とし確認結果をタグＴに反映できることから、不具合箇所を比較的簡単に、かつ確実に見つけることができる。したがって、例えば先頭ページから順に全てのページ画像を確認する場合に比較し、一連のページ画像の確認作業を効率よく行うことができ、一連のページ画像の確認に要する時間の短縮化が可能となる。
【００７６】
なお、１１個のタグＴを１１個のタグＴを栞としてのみ使用する場合には以下のようにしてもよい。例えばページ番号編集画面Ｇ１に複数ページ分のページ送りを行うためのページ送りボタンを別途設け、そのページ送りボタンのタッチ操作に応じて、先頭ページ、９箇所の分割ページ、最終ページのページ画像をページ順、及び逆順に表示するようにしてもよい。その場合においても既に確認した箇所の確認結果をタグＴに反映させておくことができることから、不具合箇所を比較簡単かつ確実に見つけることができる。
【００７７】
また、複数のタグＴとして、分割ページに対応するものに加え、先頭ページと最終ページとに対応するものを表示させたが、例えば先に述べたように栞としてのみ使用する場合においては、複数のタグＴを分割ページに対応するものだけとしても構わない。その場合であっても、先頭ページから順に全てのページ画像を確認する場合に比較し、一連のページ画像の確認作業を効率よく行うことができる。
【００７８】
また、１１個のタグＴをページ画像のスクロール方向に等間隔で配置したことから、ユーザは確認済の箇所の全ページ内における相対的な位置を直感的に知ることができる。よって、確認作業時の利便性を向上させることができる。なお、この点については１１個のタグＴをジャンプマークとして使用しない場合においても同様である。
【００７９】
他方、本実施形態では、複数のタグＴを２種類の状態、すなわち確認結果がＯＫであることを表す青色の状態と、ＮＧであることを表す赤色の状態とに変更可能とした。しかし、変更可能なタグＴの状態は、ＮＧを表す赤色の状態のみとしてもよく、その場合であっても先に述べた手順による確認作業は可能である。ただし、確認結果がＯＫであることを示す状態にも変更可能としたことにより、不具合箇所の有無を確認する過程で、どのページ付近を確認したか記録でき、同一のページ付近での重複する確認作業が防止できる。
【００８０】
また、確認結果が反映されたタグＴの状態を必要に応じて初期状態に戻すことができる。すなわち第３のタグ操作ボタンｃ３を用いて個別に、更には第４のタグ操作ボタンｃ４を用いて一括して初期状態に戻すことができる。したがって、タグＴの状態を誤って変更した場合等にも対処でき、これによっても確認作業時の利便性を向上させることができる。
【００８１】
なお、タグＴの状態を色の変更によって異なる状態とする場合について説明したが、タグＴの状態変更は、変更の有無が識別可能であればよく、色に限らず形状等の他の形態を変更するようにしてもよい。
【００８２】
また、確認対象の一連のページ画像を、左ページ画像１０１と右ページ画像２０１を一組とし、それらを左右に隙間なく並べて配置した状態でページ番号編集画面Ｇ１に表示させた。しかし、ページ番号編集画面Ｇ１には、左ページ画像１０１又は右ページ画像２０１のみをページ順に表示させてもよい。
【００８３】
（実施形態２）
次に、第２の実施形態について説明する。本実施形態は、一連のページ画像の確認作業に要するユーザの負担を第１の実施形態よりも軽減するものである。概略を述べると、本実施形態は、第１の実施形態で説明したタブレット２にページ番号の自動チェック機能が付加されたものである。この自動チェック機能は、一連のページ画像に対するページ番号の確認作業を概略的に行い、その確認結果をタグＴの色に反映させる機能である。
【００８４】
なお、本実施形態では、ユーザが一連のページ画像の確認を行う際、確認対象とする一連のページ画像を、例えばスクロール操作時にタッチする画面領域を左側の領域、又は右側の領域とすることにより左ページ画像１０１、又は右ページ画像２０１のみに適宜設定可能である。
【００８５】
また、管理テーブル２６０に記憶されている管理情報は、左ページ側と右ページ側とにおいて個別に構成される。管理情報には前記タグＴに関する色情報も左ページ側と右ページ側とが個別に記憶されており、ページ番号編集画面Ｇ１の表示中には、制御部２５が前記タグＴの色を確認対象となる左ページ側、又は右ページ側の色情報に基づき制御する。さらに、管理情報には、前記ページ番号オブジェクト３０１のページ番号３０２の背景色に関する色情報が含まれており、ページ番号編集画面Ｇ１の表示中には、制御部２５がページ番号３０２の背景色を前記色情報に基づき制御する。
【００８６】
以下、本実施形態におけるタブレット２の動作を図７〜図１５を参照し具体的に説明する。図７は、第１の実施形態で示した図３に対応する図であり、図７は、ページ編集モードにおいて制御部２５が書籍管理プログラムに基づき実行する処理内容の一部を説明するためのフローチャートである。
【００８７】
図７に示したステップＳ１０１〜ステップＳ１０３の処理は、図３に示したステップＳ１〜ステップＳ３の処理と同一である。
【００８８】
すなわち、ページ編集モードにおいて制御部２５は、編集対象となる書籍の管理情報を参照して一連のページ画像（左ページ画像及び右ページ画像）の総数を確認する（ステップＳ１０１）。次に、制御部２５は、ページ画像の総数分のページ範囲に、それを複数の範囲に分割する複数の分割ページを設定した後（ステップＳ１０２）、図４に示したページ番号編集画面Ｇ１を表示する（ステップＳ１０３）。
【００８９】
そして、制御部２５は、ページ番号編集画面Ｇ１を表示している間、ユーザによる個別編集指示の有無を確認する（ステップＳ１０４）。なお、個別編集指示は、ページ番号編集画面Ｇ１に表示中のいずれかのページ画像（左ページ画像又は右ページ画像）を選択した状態で編集ボタンｂ４をタッチ操作することにより行われる。
【００９０】
ここで個別編集指示がなければ（ステップＳ１０４：ＮＯ）、制御部２５は画面操作処理を実行する（ステップＳ１１３）。係る画面操作処理は、図３に示したステップＳ４〜ステップＳ１６の一連の処理と同一であるため具体的な説明は省略する。
【００９１】
一方、個別編集指示があると（ステップＳ１０４：ＹＥＳ）、制御部２５は、ページ番号編集画面Ｇ１に代えて図１１に示した個別編集画面Ｇ２を表示する（ステップＳ１０５）。個別編集画面Ｇ２は、個別編集指示に際して選択されていたページ画像１０１（図１１では左ページ画像）がページ確認枠４０１と共に全画面表示され、かつ画面の右側に編集メニュー５０１がＯＳＤ（On Screen Display）機能により表示された画面である。
【００９２】
個別編集画面Ｇ２においても、ページ番号編集画面Ｇ１と同様、その上端部の機能表示領域Ｇａに、ページ編集ボタンｂ１、トリミングボタンｂ２、色補正ボタンｂ３、編集ボタンｂ４が配置されるとともに、完了ボタンｂ５に代えて、ページ番号編集画面Ｇ１へ戻るための戻るボタンｂ６が配置される。
【００９３】
また、個別編集画面Ｇ２においてもページ確認枠４０１の移動操作（位置修正）が可能であり、個別編集画面Ｇ２における下端部の操作領域Ｇｃには、移動操作が行われたページを単独ポイントに追加するための単独ポイント追加ボタンｃ５と、移動操作が行われたページを連結ポイントに追加するための連結ポイント追加ボタンｃ６とが配置される。単独ポイントの追加とは、ページ確認枠４０１の位置修正を当該ページのみ反映させるページの指定であり、連結ポイントの追加とは、ページ確認枠４０１の位置修正を当該ページ及び前後のページに反映させるページの指定である。
【００９４】
一方、編集メニュー５０１は、その上端に配置された閉じるボタン５０２によって閉じることができ、編集メニュー５０１が閉じた状態ではページ確認枠４０１の移動のみが可能である。
【００９５】
編集メニュー５０１には、個別編集の対象となっているページ画像１０１に対応するページ番号、すなわちページ番号編集画面Ｇ１（図４）のページ番号オブジェクト３０１のページ番号３０２を表示する番号ボックス５０３が設けられている。番号ボックス５０３に表示されているページ番号はユーザによる修正が可能である。なお、ページ番号の修正に際しては、予め決められている文字や数字（「００」等）を入力することによって、表示中のページ番号をスキップする設定、つまり表示中のページ画像１０１にページ番号を割り当てない設定も可能である。
【００９６】
また、編集メニュー５０１には、番号ボックス５０３の下方に文字のみからなる各ボタン５０４〜５０８、すなわち「削除」、「置き換え（白紙）」、「置き換え（再撮影）」、「置き換え（画像）」、「回転（１８０度）」が配置されている。これらのボタンをタッチ操作することにより、ページ画像１０１の削除、他の画像への置き換え、回転の各操作が可能である。なお、他の画像への置き換え操作は、白紙画像への置き換え、再撮影を行い取得した撮影画像への置き換え、既存の撮影画像への置き換えの３通りである。
【００９７】
また、編集メニュー５０１には、ページ番号部分の切り出し領域のサイズ、つまりページ確認枠４０１の大きさを設定するサイズ設定ボタン５０９が配置されており、切り出し領域のサイズを「小」、「中」、「大」の３段階のいずれかに設定可能である。
【００９８】
また、編集メニュー５０１には、前述したページ番号の自動チェック機能の使用の有無及び、チェック対象の設定に使用するチェック機能設定ボタン５１０、ページ番号の自動チェックの実行を指示するための実行ボタン５１１が配置されている。チェック対象には左ページのみ、右ページのみ、左右の両ページのいずれかを設定可能である。
【００９９】
さらに、編集メニュー５０１には、本実施形態においてページ番号の自動チェック機能とは別に設けられている個別ページ確認機能によるＯＣＲチェックの実行を指示するためのＯＣＲチェックボタン５１２が配置されている。
【０１００】
以上の個別編集画面Ｇ２を表示している間、制御部２５は、ユーザによるページ確認枠４０１の移動や大きさの設定（変更）、ページ番号の修正、ページ画像１０１の削除、置き換え、回転等の編集操作があると（ステップＳ１０６）、それに応じた各種の編集処理を行う（ステップＳ１０７）。
【０１０１】
その際、制御部２５は管理テーブル２６０に記憶されている管理情報を必要に応じ随時書き替える。図１５は管理情報に含まれる情報の一部を示した図であり、管理情報にはページ画像を識別する画像番号（１〜ｎ）と、それに対応したページ画像のファイル名、ページ番号、番号領域の座標位置、番号領域サイズに関する情報が含まれる。なお、左ページの管理情報におけるページ番号が奇数である場合には、右ページの管理情報におけるページ番号は偶数である。ページ番号は撮影順に従って左ページ側、及び右ページ側の一連のページ画像に割り当てられる想定上のページ番号である。
【０１０２】
そして、制御部２５は、ページ確認枠４０１の位置や大きさが変更されると、番号領域の座標位置と番号領域サイズとを更新し、ページ画像の削除や置き換えがあればファイル名を更新する。また、制御部２５は、番号ボックス５０３のページ番号が変更されると、表示中のページ画像に対応するページ番号を更新し、それに合わせて他のページ画像に対応するページ番号も更新する。但し、表示中のページ番号をスキップする設定が行われた場合には、表示中のページ画像に対応するページ番号を削除し、それ以降のページ画像に対応するページ番号を繰り上げる。なお、上述したステップＳ１０６の編集操作には、チェック機能設定ボタン５１０の操作も含まれ、ステップＳ１０７の各種の編集処理には機能チェック対象の設定が含まれる。
【０１０３】
その後、制御部２５は、戻るボタンｂ６の操作により個別編集の終了が指示されるまで個別編集画面Ｇ２の表示を継続し（ステップＳ１１２：ＮＯ）、ページ番号の自動チェックやＯＣＲチェックの指示の有無を確認する（ステップＳ１０８，Ｓ１１０）。その間、制御部２５は、個別編集の終了が指示されると（ステップＳ１１２：ＹＥＳ）、一旦ステップＳ１０３の処理へ戻り、ページ番号編集画面Ｇ１の表示を再開する。したがって、ステップＳ１０７の編集処理によって管理情報が変更されていた場合には、その時点でページ番号編集画面Ｇ１には新たな管理情報が反映される。
【０１０４】
また、個別編集画面Ｇ２の表示中において制御部２５は、ユーザによりページ番号の自動チェックが指示されると（ステップＳ１０８：ＹＥＳ）、自動チェック処理を実行し（ステップＳ１０９）、ＯＣＲチェックが指示されると（ステップＳ１１０：ＹＥＳ）、ＯＣＲチェック処理を実行する（ステップＳ１１１）。
【０１０５】
以下、ステップＳ１０９の自動チェック処理を図８に従い具体的に説明する。なお、図８は、個別編集画面Ｇ２おいてページ番号のチェック対象として左右の両ページが設定されていた場合の例である。
【０１０６】
自動チェック処理に際して制御部２５は、まず、処理対象のページを左ページに設定した後（ステップＳＡ１）、左ページの一連のページ画像の確認時にページ番号編集画面Ｇ１で表示する全てのタグＴの色（以下、タグ色ともいう）として、ＮＧを表す赤色に設定する（ステップＳＡ２）。
【０１０７】
次に、制御部２５は、図９に示したページ照合処理を実行する（ステップＳＡ３）。ページ照合処理において制御部２５は、処理対象のエリアを示すエリア番号（ａｎ）に「１」を設定する（ステップＳＢ１）。ここでエリアとは、処理対象のページ（処理開始当初は左ページ）における全ページ範囲を前述した複数の分割ページによって分割したページ範囲である。
【０１０８】
また、本実施形態では全ページ範囲がエリア１〜エリア１０のエリアであり、各エリアがページ番号編集画面Ｇ１の複数のタグＴのそれぞれに対応する（但し、最終ページに対応するタグＴは除く。）。なお、以下の説明においては、便宜的にページ画像（目次等を撮影したページ画像を含む）の総数が２００であり、各エリアのページ画像の数が１０であるものとして説明する。
【０１０９】
次に、制御部２５は、画像番号（ｎ）に、ページ番号が割り当てられている最初のページ画像の番号を設定した後（ステップＳＢ２）、処理対象のページ範囲つまりエリア１について、画像番号（ｎ）、画像番号（ｎ＋１）、画像番号（ｎ＋２）の画像番号が連続する３ページ分のページ画像から公知技術によるＯＣＲ（optical character reader）処理によってページ番号（以下、ＯＣＲページ番号という。）を取得する（ステップＳＢ３）。その際、制御部２５はす、取得したＯＣＲページ番号を、画像番号と対応付けて記憶部２６に記憶する。
【０１１０】
引き続き、制御部２５は、取得した３ページ分のＯＣＲページ番号が連番か否かを確認する（ステップＳＢ４）。ここで連番とは、ＯＣＲページ番号にページ順が反映されている状態であり、例えば１，３，５のような奇数の連番、又は２，４，６のような偶数の連番である。また、連番でない場合には３ページ分のページ画像の１又は複数からページ番号（ＯＣＲページ番号）が取得できない場合も含まれる。
【０１１１】
ここで、制御部２５は、３ページ分のＯＣＲページ番号が連番であれば（ステップＳＢ４：ＹＥＳ）、当該エリア（処理開始当初はエリア１）の照合結果を「ＯＫ」に設定する（ステップＳＢ５）。つまり照合結果の内容を当該エリアに対応付けて記憶部２６に記憶する。
【０１１２】
一方、３ページ分のＯＣＲページ番号が連番でなければ（ステップＳＢ４：ＮＯ）、制御部２５は以下の処理を行う。すなわち画像番号を次の番号（ｎ＋１）に変更し（ステップＳＢ６）、それが処理対象のエリアの最終の画像番号−２でなければ（ステップＳＢ７：ＮＯ）、ステップＳＢ３の処理に戻って、それ以降の処理を繰り返す。
【０１１３】
そして、制御部２５は、上記処理を繰り返す間に、変更後の画像番号（ｎ＋１）が処理対象のエリアの最終の画像番号−２に達した場合には（ステップＳＢ７：ＮＯ）、処理対象のエリアの照合結果を「ＮＧ」に設定する（ステップＳＢ８）。つまり照合結果の内容を当該エリアに対応付けて記憶部２６に記憶する。
【０１１４】
以後、制御部２５は、最後のエリア（エリア１０）を対象としてステップＳＢ３以降の処理を完了するまでの間（ステップＳＢ９：ＮＯ）、対象のエリア番号を次のエリア番号（ａｎ＋１）に変更し、かつ画像番号をそのエリアの先頭番号に変更した後（ステップＳＢ１０）、ステップＳＢ３の処理に戻り、それ以降の処理を繰り返す。これにより各エリアについて照合結果が設定される（記憶される）。
【０１１５】
図１２及び図１３は、各エリアに設定される照合結果が全て「ＯＫ」である場合のエリア番号と、それに対応する画像番号、ページ番号、ＯＣＲページ番号の一例であって、予めユーザによって画像番号「５」のページ画像にページ番号として「１」が設定されていた場合を示した図である。
【０１１６】
ここで、図１２に示したように照合結果が全て「ＯＫ」である場合であっても、連続するＯＣＲページ番号が得られる３ページ分のページ画像の各エリア内での位置は先頭とは限らない。例えば、エリア１では画像番号が「５〜７」の位置である。また、エリア３では、ページ番号が印刷されていない等によりＯＣＲページ番号が取得できないページ画像（画像番号が「２１」）が存在するため、連続するＯＣＲページ番号が得られるページ画像のエリア内での位置は、画像番号が「２２〜２４」の位置である。
【０１１７】
また、図１３に示したように、エリア４及びエリア５では、連続するＯＣＲページ番号が得られるページ画像のエリア内での位置は各々がエリアの先頭部分、すなわちエリア４では画像番号が「３１〜３３」の位置、エリア５では画像番号が「４１〜４３」の位置である。
【０１１８】
そして、制御部２５は、最後のエリア（エリア１０）を対象としてステップＳＢ３以降の処理を完了し、全てのエリアの照合結果が得られた時点で（ステップＳＢ９：ＹＥＳ）、ページ照合処理を終了し、図８の処理に戻る。
【０１１９】
図８に示したように、ページ照合処理を終了した後、制御部２５は、まず処理対象のページ範囲を示すエリア番号（ａｎ）に「１」を設定する（ステップＳＡ４）。次に、制御部２５は、処理対象となるエリア１について、そのエリアでの照合結果が「ＯＫ」であるか否かを確認する（ステップＳＡ５）。
【０１２０】
ここで、制御部２５は、照合結果が「ＯＫ」であれば（ステップＳＡ５：ＹＥＳ）、さらに処理対象のページ範囲、つまりエリア１において連続するＯＣＲページ番号の先頭が、それが取得された画像のページ番号と一致するか否かを確認する（ステップＳＡ６）。なお、連続するＯＣＲページ番号の先頭は、ステップＡＳ３のページ照合処理（図９）で照合結果を「ＯＫ」に設定したとき照合対象であった３ページ分のページ画像のうちの先頭画像のＯＣＲページ番号である。つまり図１２の例であれば「１」である。
【０１２１】
そして、制御部２５は、連続するＯＣＲページ番号の先頭が、それが取得されたページ画像のページ番号と一致する場合には（ステップＳＡ６：ＹＥＳ）、エリア１に対応するタグＴの色を、ＯＫを示す青色に設定する（ステップＳＡ７）。
【０１２２】
これに対して、制御部２５は、エリア１について、そのエリアでの照合結果が「ＯＫ」でない場合（ステップＳＡ５：ＮＯ）、及び連続するＯＣＲページ番号の先頭が、それが取得されたページのページ番号と一致しない場合（ステップＳＡ６：ＮＯ）には、ステップＳＡ７の処理をスキップする。つまりエリア１に対応するタグＴの色設定を、ＮＧを示す赤色に維持する。
【０１２３】
以後、制御部２５は、最後のエリア（エリア１０）を対象としてステップＳＡ５以降の処理を完了するまでの間（ステップＳＡ８：ＮＯ）、処理対象のページ範囲、つまりエリア番号を次のエリア番号（ａｎ＋１）に変更した後（ステップＳＡ９）、ステップＳＡ５の処理に戻り、それ以降の処理を繰り返す。これにより、照合結果が「ＯＫ」であり、かつ連続するＯＣＲページ番号の先頭が、それが取得された画像のページ番号と一致するといった特定の条件に該当するエリアに対応するタグＴだけ、その色が「ＯＫ」を示す青色に変更される。
【０１２４】
図１４は、上記の処理により設定される各エリアのタグ色の例を、それと対応するエリア番号、連続するＯＣＲページ番号の先頭、そのＯＣＲページ番号が取得されたページ画像に割り当てられているページ番号（想定されるページ番号）と共に示した図であり、図１２及び図１３に対応する図である。
【０１２５】
ここで、図１４は、ページ照合処理（図９）において全てのエリアの照合結果が「ＯＫ」である場合の例であるとともに、図１３に示したようにエリア４における画像番号３５のページ画像が、撮影時に前ページと重ねて２ページ分めくられていたことによりページ抜けが生じているページ画像である場合の例である。
【０１２６】
したがって、この例では、上記不具合が生じているエリア４までの各エリアに対応する各タグの設定色がＯＫを示す青色に変更されるとともに、エリア５以降の全てのエリアに対応する各タグの設定色がＮＧを示す赤色に維持される。
【０１２７】
一方、制御部２５は、最後のエリア（エリア１０）を対象としてステップＳＡ５以降の処理を完了した後には（ステップＳＡ８：ＹＥＳ）、処理対象のページを右ページに設定し（ステップＳＡ１１）、ステップＳＡ２の処理へ戻り、それ以降の処理を繰り返す。これにより、右ページの一連のページ画像の確認時にページ番号編集画面Ｇ１で表示するタグＴについても、前述した特定の条件に該当するエリアに対応するタグＴのみ、その設定色がＯＫを示す青色に変更される。
【０１２８】
その後、制御部２５は、右ページの最後のエリア（エリア１０）を対象としてステップＳＡ５以降の処理を完了した時点で（ステップＳＡ１０：ＹＥＳ）、自動チェック処理を終了し、図７の処理に戻る。
【０１２９】
そして、制御部２５は、自動チェック処理が終了した後には、個別編集の終了の有無を確認することなく直ちにステップＳ１０３の処理へ移行し、管理情報に基づいてページ番号編集画面Ｇ１の表示を再開する。つまり制御部２５は、自動チェック処理で設定されたタグ色を反映させた新たなページ番号編集画面Ｇ１を表示する。
【０１３０】
以上のように、個別編集画面Ｇ２においてページ番号の自動チェックを指示することにより、概略的ではあるものの、一連のページ画像に対するページ番号確認が自動的に行われ、その結果が各タグＴに反映される。これにより、図１３に示したようにエリア４にページ抜けが生じている場合には、次のエリア５以降の各エリアに対応するタグＴが全て赤色となる。したがって、ユーザにおいては直ちにエリア５又はエリア４に不具合があることを知ることができ、その結果、エリア４のページ抜け箇所を簡単に、かつ確実に見つけることができる。よって、第１の実施形態と比べ、ユーザにあってはページ番号の確認作業をより楽に行うことができる。
【０１３１】
なお、先の説明では、一連のページ画像の撮影時に不具合が生じていた場合の例として、下のページが分離されず２ページ分の重ねめくりが生じていた場合をあげたが、一連のページ画像の撮影時には、めくり損ねによる重複撮影が生じる場合もある。その場合、画像番号が相前後する２つのページ画像のＯＣＲページ番号が同一となる。図１６は、その一例を示す図であって、重複撮影によってエリア２の画像番号が「１２」のページ画像と画像番号が「１３」のページ画像のＯＣＲページ番号が同一となる場合を示した図である。
【０１３２】
係る場合には、ページ照合処理（図９）においてエリア２の照合結果は「ＯＫ」となるが、自動チェック処理（図８）においてはエリア２以降の各エリアに対応するタグＴが全て赤色となる。したがって、ユーザにおいては直ちにエリア２又はエリア１に不具合があることを知ることができ、その結果、エリア２のページ番号重複箇所を簡単に、かつ確実に見つけることができる。
【０１３３】
また、自動チェック処理では、ページ画像からページ番号を取得するＯＣＲ処理を全てのページ画像ではなく、エリア毎に一部の（各エリアの先頭からＯＣＲページ番号が連続する３ページ分までの）ページ画像を対象として行う。そのため、書籍のページ数が多くともページ抜けが生じているエリアの特定を短時間で行うことができ、しかも、その特定に要する時間が書籍のページ数に比例して長くなることもない。
【０１３４】
次に、ステップＳ１１１のＯＣＲチェック処理を図１０に従い具体的に説明する。ＯＣＲチェック処理に際して制御部２５は、まず、処理対象のページを左ページに設定した後（ステップＳＣ１）、画像番号（ｎ）に「１」を設定する（ステップＳＣ２）。
【０１３５】
次に、制御部２５は、画像番号「１」のページ画像についてＯＣＲページ番号が取得済みであるか否かを確認し、取得済みである場合には（ステップＳＣ３：ＹＥＳ）、そのＯＣＲページ番号が想定されているページ番号と一致するか否かを直ちに確認する（ステップＳＣ５）。なお、ＯＣＲページ番号が取得済みである場合とは、ＯＣＲチェック処理に先立ち自動チェック処理が行われ、その際に取得されたＯＣＲページ番号が記憶されている場合である。
【０１３６】
一方、画像番号「１」のページ画像についてＯＣＲページ番号が取得済みでない場合（ステップＳＣ３：ＮＯ）、制御部２５は、その時点でＯＣＲ処理によってページ画像からページ番号を取得する（ステップＳＣ４）。しかる後、そのＯＣＲページ番号が想定されているページ番号と一致するか否かを確認する（ステップＳＣ５）。
【０１３７】
ここで、制御部２５は、ＯＣＲページ番号が想定されているページ番号と一致していなければ（ステップＳＣ５：ＮＯ）、ページ番号の背景色、すなわちページ番号編集画面Ｇ１（図４）に表示するページ番号オブジェクト３０１のページ番号３０２の背景色を黄色に設定する（ステップＳＣ６）。具体的にはこの背景色の色情報を画像番号に対応付け、他の情報共に管理情報として記憶する。これに対し、制御部２５は、ＯＣＲページ番号が想定されているページ番号と一致した場合においては（ステップＳＣ５：ＹＥＳ）、ステップＳＣ６の処理をスキップする。
【０１３８】
そして、制御部２５は、画像番号が最終番号に達するまで（ステップＳＣ７：ＮＯ）、画像番号を次の番号（ｎ＋１）に変更した後（ステップＳＣ８）、ステップＳＣ３の処理に戻り、それ以降の処理を繰り返す。
【０１３９】
その後、制御部２５は、画像番号を最終番号に設定し、ステップＳＣ３以降の処理を完了すると（ステップＳＣ７：ＹＥＳ、ステップＳＣ９：ＮＯ）、処理対象のページを右ページに設定し（ステップＳＣ１０）、ステップＳＣ２の処理へ戻り、それ以降の処理を繰り返す。これにより、右ページについても、ＯＣＲページ番号が想定されているページ番号と一致しないページ画像を示す画像番号について、ページ番号３０２の背景色が黄色に設定される。
【０１４０】
そして、制御部２５は、右ページの最後の画像番号を対象としてステップＳＣ３以降の処理を完了した時点で（ステップＳＣ９：ＹＥＳ）、ＯＣＲチェック処理を終了し、図７の処理に戻る。
【０１４１】
そして、制御部２５は、ＯＣＲチェック処理が終了した後には、個別編集の終了の有無を確認することなく直ちにステップＳ１０３の処理へ移行し、管理情報に基づいてページ番号編集画面Ｇ１の表示を再開する。つまり制御部２５は、ページ番号３０２と、ページ番号画像３０３のページ番号（ＯＣＲページ番号）とが一致していないページ番号オブジェクト３０１についてはページ番号３０２の背景色を黄色にした新たなページ番号編集画面Ｇ１を表示する（図示せず）。
【０１４２】
以上のように、個別編集画面Ｇ２においてＯＣＲチェックを指示することにより、ページ番号の自動チェックと比較し時間は掛かるものの、ページ番号３０２と、ページ番号画像３０３のページ番号（ＯＣＲページ番号）とが一致していないページが自動的に確認され、該当するページ番号３０２が明示される。
【０１４３】
これにより、ユーザにおいては、図１２に示したエリア２の３番目のページ画像のように重複撮影されたページ画像や、エリア３の１番目のページ画像のようにページ番号が存在しないページ画像を容易に知ることができる。よって、第１の実施形態と比べ、ユーザにあってはページ番号の確認作業をより楽に行うことができる。
【０１４４】
なお、本実施形態では、自動チェック処理においてタグＴの色を赤色から青色に変える条件を、タグＴが対応するエリアのページ照合処理（図９）による照合結果が「ＯＫ」であり、かつ連続するＯＣＲページ番号の先頭が、それが取得された画像のページ番号と一致することとした。しかしながら、エリア番号が「２」以降のエリアに対応するタグＴについては、上記の条件として、照合対象であった３ページ分のページ画像のうちの先頭画像が、対象エリアの先頭画像であることを追加するようにしてもよい。
【０１４５】
以上、本発明の好ましい実施形態及びその変形例について説明したが、本発明は、これらに限定されるものではなく、特許請求の範囲に記載された発明とその均等の範囲を含むものである。以下に、本出願の当初の特許請求の範囲に記載された発明を付記する。
（付記１）
複数ページからなる撮影対象の各ページを撮影して取得された一連のページ画像を撮影された順番に基づいて表示画面に表示するページ表示手段と、
前記一連のページ画像のページ範囲を複数に分割する複数の分割ページに対応する複数のタグを、前記ページ画像とともに前記表示画面に表示するタグ表示手段と、
使用者の要求に応じ、前記複数のタグのうちで前記表示画面に表示されている前記ページ画像のページと最も近い前記分割ページに対応する近接タグを識別可能な状態に変更する変更手段と、
を備えたことを特徴とする画像確認装置。
（付記２）
複数ページからなる撮影対象の各ページを撮影して取得された一連のページ画像をページ順に表示画面に表示するページ表示手段と、
前記一連のページ画像のページ範囲を複数に分割する複数の分割ページに対応する複数のタグを、前記ページ画像とともに前記表示画面に表示するタグ表示手段と、
使用者の要求に応じ、前記複数のタグのうちで前記表示画面に表示されている前記ページ画像のページと最も近い前記分割ページに対応する近接タグを識別可能な状態に変更する変更手段と、
を備えたことを特徴とする画像確認装置。
（付記３）
前記ページ表示手段は、使用者に指定された前記タグに対応する分割ページのページ画像を表示画面に表示することを特徴とする付記１又は２記載の画像確認装置。
（付記４）
前記タグ表示手段は、前記複数の分割ページに加え、先頭ページ及び最終ページに対応する複数のタグを前記ページ画像とともに前記表示画面に表示することを特徴とする付記１乃至３のいずれか１つに記載の画像確認装置。
（付記５）
前記複数のタグは複数の識別可能な状態に変更可能であり、前記変更手段は、前記近接タグの状態を使用者により指定された内容が識別可能な状態に変更することを特徴とする付記１乃至４のいずれか１つに記載の画像確認装置。
（付記６）
前記変更手段は、前記近接タグを色の変更によって識別可能な状態に変更することを特徴とする付記１乃至５のいずれか１つに記載の画像確認装置。
（付記７）
前記タグにおける識別可能な状態は、前記表示画面に表示されている前記ページ画像に関する使用者の確認結果を示す状態であることを特徴とする付記１乃至６のいずれか１つに記載の画像確認装置。
（付記８）
前記ページ表示手段は、前記一連のページ画像を使用者の操作に従って前記表示画面にスクロール表示し、
前記タグ表示手段は、前記表示画面に、前記複数のタグを前記ページ画像のスクロール方向に等間隔で配置する
ことを特徴とする付記１乃至７のいずれか１つに記載の画像確認装置。
（付記９）
前記近接タグが前記変更手段により状態を変更されている場合に、当該近接タグの状態を使用者の操作に従って初期状態に戻す初期化手段を更に備えたことを特徴とする付記１乃至８のいずれか１つに記載の画像確認装置。
（付記１０）
複数ページからなる撮影対象の各ページを撮影して取得された一連のページ画像を撮影された順番に基づいて表示画面に表示するページ表示手段と、
前記一連のページ画像が複数のページ範囲に分割された各ページ範囲に対して該ページ範囲における先頭ページまたは最終ページに対応するタグを、前記ページ画像とともに前記表示画面に表示するタグ表示手段と、
前記表示画面に表示されている前記ページ画像を含む前記ページ範囲における先頭ページまたは最終ページに対応するタグを識別可能な状態に変更する変更手段と、
を備えたことを特徴とする画像確認装置。
（付記１１）
複数の前記ページ範囲毎に、各々のページ範囲に対応する一連のページ画像のうちで撮影順が相前後し、かつ各々に存在するページ番号にページ順が反映されている複数のページ画像を確認対象として特定する特定手段と、
前記特定手段により特定された確認対象に存在するページ番号と当該確認対象に設定されているページ番号との異同を確認する確認手段と、
前記複数のタグを、各々のタグに対応するページ範囲の前記確認対象に関する前記確認手段による確認結果を示す状態に変更する第２の変更手段と、
を更に備えたことを特徴とする付記１乃至１０のいずれか１つに記載の画像確認装置。
（付記１２）
前記確認手段は、前記確認対象に存在するページ番号と当該確認対象に設定されているページ番号との異同確認を、前記確認対象における単一のページ画像を対象として行うことを特徴とする付記１１記載の画像確認装置。
（付記１３）
前記一連のページ画像に設定されているページ番号を、前記ページ画像とともに前記ページ画像に対応付けて前記表示画面に表示するページ番号表示手段と、
前記一連のページ画像の各々に存在するページ番号と前記一連のページ画像の各々に設定されているページ番号との異同を確認する第２の確認手段と、
前記表示画面に表示されるページ番号の表示形態を、対応するページ画像の前記第２の確認手段による確認結果を示す表示形態に制御する表示制御手段と、
を更に備えたことを特徴とする付記１乃至１２のいずれか１つに記載の画像確認装置。
（付記１４）
画像確認装置が実行する画像確認方法であって、
複数ページからなる撮影対象の各ページを撮影して取得された一連のページ画像を撮影された順番に基づいて表示画面に表示するステップと、
前記一連のページ画像のページ範囲を複数に分割する複数の分割ページに対応する複数のタグを、前記ページ画像とともに前記表示画面に表示するステップと、
前記複数のタグのうちで前記表示画面に表示されている前記ページ画像のページと最も近い前記分割ページに対応する近接タグを識別可能な状態に変更するステップと、
を含むことを特徴とする画像確認方法。
（付記１５）
コンピュータに、
複数ページからなる撮影対象の各ページを撮影して取得された一連のページ画像を撮影された順番に基づいて表示画面に表示する手順と、
前記一連のページ画像のページ範囲を複数に分割する複数の分割ページに対応する複数のタグを、前記ページ画像とともに前記表示画面に表示する手順と、
前記複数のタグのうちで前記表示画面に表示されている前記ページ画像のページと最も近い前記分割ページに対応する近接タグを識別可能な状態に変更する手順と、
を実行させるためのプログラム。
（付記１６）
複数ページからなる撮影対象の各ページを撮影して取得された一連のページ画像を撮影された順番に基づいて表示画面に表示するページ表示手段と、
前記一連のページ画像が複数のページ範囲に分割された各ページ範囲に対応するタグを、前記ページ画像とともに前記表示画面に表示するタグ表示手段と、
前記複数のページ範囲毎に、各々のページ範囲に対応する一連のページ画像のうちで撮影順が相前後し、かつ各々に存在するページ番号にページ順が反映されている複数のページ画像を確認対象として特定する特定手段と、
前記特定手段により特定された確認対象に存在するページ番号と当該確認対象に設定されているページ番号との異同を確認する確認手段と、
前記各ページ範囲に対応する複数のタグを、各々のタグに対応するページ範囲の前記確認対象に関する前記確認手段による確認結果を示す状態に変更する変更手段と、
を備えたことを特徴とする画像確認装置。
（付記１７）
画像確認装置が実行する画像確認方法であって、
複数ページからなる撮影対象の各ページを撮影して取得された一連のページ画像を撮影された順番に基づいて表示画面に表示するステップと、
前記一連のページ画像が複数のページ範囲に分割された各ページ範囲に対応するタグを、前記ページ画像とともに前記表示画面に表示するステップと、
前記複数のページ範囲毎に、各々のページ範囲に対応する一連のページ画像のうちで撮影順が相前後し、かつ各々に存在するページ番号にページ順が反映されている複数のページ画像を確認対象として特定するステップと、
前記特定された確認対象に存在するページ番号と当該確認対象に設定されているページ番号との異同を確認するステップと、
前記各ページ範囲に対応する複数のタグを、各々のタグに対応するページ範囲の前記確認対象に関する前記異同の確認結果を示す状態に変更するステップと、
を含むことを特徴とする画像確認方法。
（付記１８）
コンピュータに、
複数ページからなる撮影対象の各ページを撮影して取得された一連のページ画像を撮影された順番に基づいて表示画面に表示する手順と、
前記一連のページ画像が複数のページ範囲に分割された各ページ範囲に対応するタグを、前記ページ画像とともに前記表示画面に表示する手順と、
前記複数のページ範囲毎に、各々のページ範囲に対応する一連のページ画像のうちで撮影順が相前後し、かつ各々に存在するページ番号にページ順が反映されている複数のページ画像を確認対象として特定する手順と、
前記特定された確認対象に存在するページ番号と当該確認対象に設定されているページ番号との異同を確認する手順と、
前記各ページ範囲に対応する複数のタグを、各々のタグに対応するページ範囲の前記確認対象に関する前記異同の確認結果を示す状態に変更する手順と、
を実行させるためのプログラム。
【符号の説明】
【０１４６】
１・・・書画カメラシステム、２・・・タブレット、３・・・ページめくり装置、２１・・・撮像部、２３・・・表示部、２５・・・制御部、２６・・・記憶部、Ｂ・・・書籍、Ｇ１・・・ページ番号編集画面、Ｇａ・・・機能表示領域、Ｇｂ・・・一般領域、Ｇｃ・・・操作領域、ｂ１・・・編集ボタン、ｃ１・・・第１のタグ操作ボタン、ｃ２・・・第２のタグ操作ボタン、ｃ３・・・第３のタグ操作ボタン、ｃ４・・・第４のタグ操作ボタン、Ｔ・・・タグ、Ｇ２・・・個別編集画面、５０１・・・編集メニュー、５１０・・・チェック機能設定ボタン、５１１・・・実行ボタン、５１２・・・ＯＣＲチェックボタン
【図１】
2017139765.tif 000003
【図２】
2017139765.tif 000004
【図３】
2017139765.tif 000005
【図４】
2017139765.tif 000006
【図５】
2017139765.tif 000007
【図６】
2017139765.tif 000008
【図７】
2017139765.tif 000009
【図８】
2017139765.tif 000010
【図９】
2017139765.tif 000011
【図１０】
2017139765.tif 000012
【図１１】
2017139765.tif 000013
【図１２】
2017139765.tif 000014
【図１３】
2017139765.tif 000015
【図１４】
2017139765.tif 000016
【図１５】
2017139765.tif 000017
【図１６】
2017139765.tif 000018